(57)【要約】      （修正有）【課題】画像形成装置に装着される現像剤供給容器において、開閉駆動伝達部と駆動伝達部とが、規定の位置からずれて本体のギアと噛み合うことを防止する。【解決手段】画像形成装置に装着して現像剤を供給する現像剤供給容器であって、操作部材に設けられた開閉駆動伝達部と、開閉駆動伝達部から、装置本体に設けられ少なくとも共通の回転軸を有した異なる歯数の複数のギアを有する開閉駆動中継ギア列を介して駆動を伝達され、さらに装置本体に設けられ現像剤受入開口を開閉する本体シャッタ部材に駆動を伝達する駆動伝達部と、装置本体の開閉駆動中継ギア列のうちの１つのギアに設けられたギア側当接部に当接する容器側当接部とを有し、現像剤供給容器を装置本体に装着する際に、開閉駆動中継ギア列を回転させることを特徴とする。【選択図】図１５
2006139070.tif 000002
【特許請求の範囲】
【請求項１】
電子写真方式の画像形成装置本体に装着され、前記画像形成装置本体と駆動の受け渡しを行うことで前記画像形成装置本体の被供給部に現像剤を供給することが可能となる現像剤供給容器であって、
装着した際に装置本体に設けられた現像剤受入開口に対向する現像剤排出開口と、
装着した状態で移動操作可能な操作部材と、
前記操作部材に設けられた開閉駆動伝達部と、
前記開閉駆動伝達部から、装置本体に設けられ少なくとも共通の回転軸を有した異なる歯数の複数のギアを有する開閉駆動中継ギア列を介して駆動を伝達され、さらに装置本体に設けられ前記現像剤受入開口を開閉する本体シャッタ部材に駆動を伝達する駆動伝達部と、
前記装置本体の開閉駆動中継ギア列のうちの１つのギアに設けられたギア側当接部に当接する容器側当接部とを有し、
現像剤供給容器を装置本体に装着する際に、前記容器側当接部が前記ギア側当接部に当接することで、前記開閉駆動中継ギア列を回転させることを特徴とする現像剤供給容器。
【請求項２】
前記操作部材を係止し、かつ装着することにより係止状態が解除されるロック部を有することを特徴とする請求項１記載の現像剤供給容器。
【請求項３】
前記操作部材は、装置本体に設けられたガイド部にガイドされる被ガイド部を備え、
前記被ガイド部は、前記ロック部による係止が解除されている状態の時に前記ガイド部にガイドされる事を特徴とする請求項２に記載の現像剤補給容器。
【請求項４】
前記被ガイド部は、前記ロック部の係止状態が解除される前にガイドが開始され、前記開閉駆動伝達部が前記開閉駆動中継ギア列と接続を完了する前に前記ガイド部から開放されることを特徴とする請求項３記載の現像剤供給容器。
【請求項５】
前記現像剤排出開口を開閉する容器シャッタ部材と、
前記容器シャッタ部材に設けられ、現像剤供給容器を装置本体に装着することによって前記本体シャッタ部材に対して係合する係合部とを有し、
前記容器シャッタ部材は前記本体シャッタ部材と連携して開閉動作可能であって、前記装置本体に設けられた開閉駆動中継ギア列から駆動力を受け取って開閉可能であることを特徴とする請求項１記載の現像剤供給容器。
【請求項６】
前記現像剤補給容器は、前記画像形成装置本体に対して、駆動伝達時において前記開閉駆動伝達部が前記開閉駆動中継ギア列から受ける反力に抗する方向に装着されることを特徴とする請求項１ないし請求項５のいずれかに記載の現像剤補給容器。
【請求項７】
装置本体に現像剤供給容器を着脱可能な電子写真方式の画像形成装置であって、
装着された現像剤供給容器の現像剤排出開口に対向する現像剤受入開口と、
装着された現像剤供給容器の、操作部材に設けられた開閉駆動伝達部および駆動伝達部、と駆動伝達を行なう開閉駆動中継ギア列と、
前記駆動伝達部から駆動力を受けて前記現像剤受入開口を開閉する本体シャッタ部材とを有し、
前記開閉駆動中継ギア列は、少なくとも共通の回転軸を有した異なる歯数の複数のギアと、該開閉駆動中継ギア列のうちの１つのギアに設けられたギア側当接部と、を有し、
前記現像剤供給容器を装着する際に、該容器に設けられた容器側当接部が前記ギア側当接部に当接することにより、前記開閉駆動中継ギア列を回転させることを特徴とする画像形成装置。
【請求項８】
前記現像剤供給容器を装着する際に、該容器に設けられた容器側当接部が前記ギア側当接部に当接することにより、前記開閉駆動中継ギア列の各ギアは、初期位置に向けて回転することを特徴とする請求項７に記載の画像形成装置。
【請求項９】
装置本体に現像剤供給容器を着脱可能な電子写真方式の画像形成装置であって、
装着された現像剤供給容器の現像剤排出開口に対向する現像剤受入開口と、
装着された現像剤供給容器の、操作部材に設けられた開閉駆動伝達部および駆動伝達部、と駆動伝達を行なう開閉駆動中継ギア列と、
前記駆動伝達部から駆動力を受けて前記現像剤受入開口を開閉する本体シャッタ部材とを備え、
前記開閉駆動中継ギア列は、少なくとも共通の回転軸を有した異なる歯数の複数のギアを有し、
前記現像剤供給容器が装着されていない状態において、前記複数のギアを初期位置に規定するギア戻し手段を備えることを特徴とする画像形成装置。
【請求項１０】
前記ギア戻し手段は、該複数のギアの回転軸に設けられた平坦部と、該平坦部に付勢される保持部材とからなることを特徴とする請求項９記載の画像形成装置。
【請求項１１】
前記開閉駆動中継ギア列のうちの１つのギアには、前記現像剤供給容器を装着する際に、該容器に設けられた容器側当接部が当接し、前記開閉駆動中継ギア列を回転させるギア側当接部が設けられることを特徴とする請求項９または１０に記載の画像形成装置。
【請求項１２】
前記現像剤補給容器は、前記画像形成装置本体に対して、駆動伝達時において前記開閉駆動伝達部が前記開閉駆動中継ギア列から受ける反力に抗する方向に装着されることを特徴とする請求項７ないし請求項１１のいずれかに記載の画像形成装置。
【発明の詳細な説明】
【技術分野】
【０００１】
本発明は現像剤を使用して画像を形成する電子写真画像形成装置（以下、単に画像形成装置とも言う）に粉体現像剤を供給するための現像剤供給容器、及びこれを用いる画像形成装置に関するものである。
【０００２】
ここで、電子写真画像形成装置とは、電子写真画像形成方式を用いて記録媒体に画像を形成する物である。そして、電子写真画像形成装置の例としては、例えば電子写真複写機、電子写真プリンタ（例えばレーザービームプリンタ、ＬＥＤプリンタ等）、ファクシミリ装置及びワードプロセッサ等が含まれる。
【背景技術】
【０００３】
電子写真複写機や、レーザービームプリンタ等の画像形成装置は、一様に帯電させた感光体ドラムに選択的な露光をして潜像を形成し、その潜像を現像剤で現像して現像剤像を形成し、該現像剤像を記録媒体に転写して画像記録を行う。このような装置にあっては、現像剤がなくなる都度補給しなければならないが、ここで画像形成装置に現像剤を補給するための現像剤供給容器は、収納した現像剤を画像形成装置本体の現像剤受入容器に一度に全量補給する所謂一括補給型現像剤供給容器と、画像形成装置本体に現像剤供給容器を装着後、そのまま該現像剤供給容器を据え置き、現像剤を使い切るまで徐々に現像装置に現像剤を補給する、所謂据え置き型現像剤供給容器とに大別される。
【０００４】
特に近年においては、現像剤補給時の汚れや操作性の観点から、後者の据え置き型現像剤供給容器が数多く提案されている。画像形成装置本体の現像剤が消費された場合には、現像剤供給容器（トナーカートリッジとも言う）を着脱交換し、画像形成装置へトナーが補給されている。
【０００５】
現像剤としてのトナーは極めて微細な粉末であるため、トナー補給作業時に作業の振動などで、部品同士の微小な隙間からトナーが飛散して、ユーザーや周囲を汚すという問題があった。このため現像剤供給容器を画像形成装置本体の内部に据え置いて、小さな開口部から少量ずつトナーを排出する方法が提案、実用されている。このような方法にあたってはトナーは重力等の作用で自然に排出させるのは困難であり、一般に、何らかのトナー撹拌搬送手段を有している。
【０００６】
また、このようなトナーカートリッジの下方には、トナー収容部としてバッファ部が設けられ、トナーを一旦貯える。バッファ部内には、トナーを撹拌搬送し、ここからさらに回転量に応じた量のトナーを送り出す計量スクリューと、その下流にあり、記録中常時回転してトナーを搬送する搬送スクリューが設けられており、必要な分量のトナーをプロセスカートリッジへ供給している。
【０００７】
上記のような画像形成装置に於いては、トナーカートリッジ内のトナーが全てバッファ内に排出されて空になった場合には、画像形成装置がこれを検知しユーザーに対して新しい現像剤供給容器と交換するように促す。ユーザーはこれに従い、画像形成装置から空になった古い現像剤供給容器をぬき去り、替わりに新しい現像剤供給容器を挿入することによって、画像形成装置は引き続き画像形成動作を行うことができる。
【０００８】
従来の現像剤供給容器の一例として、特開２０００−１６２８６１（特許文献１）には、現像剤供給容器の回転体をユーザーが回転させることにより、本体に設けられた回転力伝達部材を介して現像剤供給容器のシャッタを開閉させるような構成が開示されている。この従来例を図１６、図１７に基づいて説明する。
【０００９】
図１６に示す画像形成装置は、装置本体500の側面に開閉部501を備え、装置側方から現像剤供給容器（以下、トナーカートリッジ600という）を挿抜する構成である。トナーカートリッジ600は、図１７（ａ）に示すように、現像剤排出開口601（図１８参照）を容器シャッタ602によって封じている。容器シャッタ602は、本体外ではユーザーが単純な一方向に回動させても容易に開かないよう構成しており、誤ってトナーを漏出させ周囲を汚染してしまうという事を防止している。
【００１０】
また図１７（ｂ）に示すように、トナーカートリッジ600を装置本体500に装着したときは、ユーザーはトナーカートリッジ600に取り付けられたノブ603を回動する事により、ノブ603の開閉駆動伝達部603ａから、装置本体に設けられた開閉駆動中継部502を介して容器シャッタ602の開閉駆動伝達受け部602ａへ伝達され、容器シャッタ602がトナー排出開口部から退避する。なお、図１７においてトナーカートリッジ600は天地を逆さまにして示しており、図の上面は実際の装着時には下方にある。
【００１１】
更に図１８に示すように、装置本体500側のバッファ部503には、トナーカートリッジ600の現像剤排出開口601に対向する現像剤受入開口504が設けられており、これにはトナーカートリッジ600が装着されていないときに異物の侵入を防ぐ本体シャッタ505が設けられている。容器シャッタ602と本体シャッタ505とは、トナーカートリッジ600を装着することによって互いに係合し、一体化した状態で開閉動作をする。
【００１２】
【特許文献１】特開２０００−１６２８６１
【発明の開示】
【発明が解決しようとする課題】
【００１３】
画像形成装置本体の設置スペースのさらなる縮小、および操作性向上への要望は依然として強く、現像剤供給容器などの消耗品の本体内における配置や、その取り出し方向が製品開発を行う上でますます重要となっている。設置スペースの縮小には消耗品取り出し方向、ジャム処理時の外装開閉方向など本体内部へのアクセス方向をなるべく統一する事が有効である。これにより、開閉扉がない側面が本体に発生し、その面は設置時に扉開閉分のスペースをとる必要がなくなる為、省スペース化に非常に有効である。また、画像読取機構のないシングルファンクションプリンタ（以下プリンタ）では、本体上部を覆う画像読取機構がないため、消耗品取り出し方向を本体上方向に設定することで、操作性が向上する。
【００１４】
そこで、例えば図２（ｂ）に示すように、画像形成装置の上面にカートリッジカバー23を設け、装置上方向からトナーカートリッジ31を着脱する構成が考えられる。トナーカートリッジ31においては、ノブ603に代わるものとしてハンドル36を回動させることにより、不図示の容器シャッタおよび本体シャッタを開閉することが考えられる。
【００１５】
ところで、上記のような構成においても、ハンドル36から容器シャッタあるいは本体シャッタまでの駆動を伝達する開閉駆動中継部としては、ギアを使用することが想定される。一方、共通の回転軸を有し異なる歯数の複数のギアを有するギア列（いわゆる段ギア）の場合、回転軸方向から見たギアの重なり方が異なる。従って、上記のように駆動を中継するためにギア列の両端に他のギアを着脱するような構成にあっては、ギア列の状態により、両端に接続されるハンドルとシャッタとの位置関係（位相）にずれが生じてしまうことになる。
【００１６】
例えば図１９に示す段ギアにおいて、図１９（ａ）に示す初期状態においては、ギア506ａの歯ａ１と、ギア506ｂの歯ｂ１とは位相が一致している。しかし図１９（ｂ）に示すように所定角回転した状態では、ギア506ａの歯ａ４とギア506ｂの歯ｂ４とは、位相が９．６°ずれる事になる。従って、この段ギアを含むギア列を介して接続されるハンドルとシャッタ部材との間にも位相ずれが生じることとなり、結果として、シャッタ部材の開閉動作が本来意図した範囲とならなくなってしまう。
【００１７】
ここで、装置小型化の観点からトナーカートリッジを隙間なく配置すると、ハンドル36の回動範囲は、隣接するカートリッジに干渉しないよう制限を受ける。このように回動範囲が限定された条件で、上記のように位相ずれが生じていると、ハンドルの回動制限により本体シャッタが十分に閉じきらなかったり、ハンドルを規定量回動させる前に本体シャッタが突き当たって回動できなくなりカートリッジを取り出せなくなるおそれがある。またトナーカートリッジの着脱を繰り返すにつれて本体シャッタ位置が徐々に開き方向に移動して、やがて本体の現像剤受入開口が開きっぱなしになってしまうおそれもある。
【００１８】
そこで本発明は、画像形成装置本体に対して、装着される現像剤供給容器において、装置本体に設けられた開閉駆動中継部に接続される開閉駆動伝達部と駆動伝達部とが、規定の位置からずれて本体のギアと噛み合うことを防止することのできる現像剤供給容器および画像形成装置を提供することを目的としている。
【課題を解決するための手段】
【００１９】
上記課題を解決するために、本発明にかかる現像剤供給容器の代表的な構成は、電子写真方式の画像形成装置本体に装着され、前記画像形成装置本体と駆動の受け渡しを行うことで前記画像形成装置本体の被供給部に現像剤を供給することが可能となる現像剤供給容器であって、装着した際に装置本体に設けられた現像剤受入開口に対向する現像剤排出開口と、装着した状態で移動操作可能な操作部材と、前記操作部材に設けられた開閉駆動伝達部と、前記開閉駆動伝達部から、装置本体に設けられ少なくとも共通の回転軸を有した異なる歯数の複数のギアを有する開閉駆動中継ギア列を介して駆動を伝達され、さらに装置本体に設けられ前記現像剤受入開口を開閉する本体シャッタ部材に駆動を伝達する駆動伝達部と、前記装置本体の開閉駆動中継ギア列のうちの１つのギアに設けられたギア側当接部に当接する容器側当接部とを有し、現像剤供給容器を装置本体に装着する際に、前記容器側当接部が前記ギア側当接部に当接することで、前記開閉駆動中継ギア列を回転させることを特徴とする。
【発明の効果】
【００２０】
本発明によれば、画像形成装置本体に対して現像剤供給容器を装着する際に、装置本体に設けられた開閉駆動中継部が確実に規定の位相にあるため、現像剤供給容器の開閉駆動伝達部と本体シャッタとの位置にずれが生じることを防止することができる。従って、現像剤供給容器の着脱操作を繰り返しても、本体シャッタの閉鎖不良や、現像剤供給容器の取り外し不可などを招くことがない。
【発明を実施するための最良の形態】
【００２１】
本発明にかかる現像剤供給容器および画像形成装置の実施例について、図を用いて説明する。
【００２２】
（全体構成）
本実施例にかかる画像形成装置本体100、及び該画像形成装置本体100に装着される現像剤供給容器について図を用いて以下に説明する。まず、図１および図２を用いて、画像形成装置本体100の全体構成について説明する。図１（ａ）は本実施例に係る画像形成装置本体100の装置左側面から見た概略断面図、図１（ｂ）は現像剤供給容器から画像形成装置本体100への現像剤の搬送過程を示した概念図、図２（ａ）は、画像形成装置本体100の外観斜視図、図２（ｂ）は現像剤供給容器の交換時の画像形成装置本体100の状態を説明する外観斜視図である。
【００２３】
図１（ａ）に示す画像形成装置本体100は、図中右側が装置前方向である。また図２（ａ）に示すように、装置上部に表示操作部24を備え、ジャム処理のために搬送路を開放する外装カバー21、給送カセット13などが装置前面から操作可能となっている。
【００２４】
内部の構造は、各色の像担持体である感光体ドラム１ａ、１ｂ、１ｃ、１ｄを４個有し、中間転写体である中間転写ベルト６に重畳的に多重転写し、フルカラーの多色画像を得る４連ドラム方式（インライン）プリンタであり、四つのドラムを用いることにより高速化を達成している。感光体ドラム１ａ〜１ｄおよび現像器３ａ〜３ｄは、中間転写ベルト６の鉛直下方に略水平直列に配列され、それぞれイエロー、マジェンタ、シアン、ブラックの各色に対応して配置されている。各現像器３ａ〜３ｄに現像剤を供給する現像剤供給容器の例としてのトナーカートリッジ（以下、トナーカートリッジ31という）は、図２（ｂ）に示すように、装置上方から着脱交換可能な構成となっている。
【００２５】
感光体ドラム１ａ〜ｄには帯電装置２ａ〜ｄによって一様に帯電された後に露光装置４ａ〜ｄによって潜像が形成され、現像器３ａ〜ｄによって現像されて各色のトナー像が形成される。感光体ドラム１ａ〜ｄ上のトナー像は一次転写ローラ５ａ〜ｄによって中間転写ベルト６の上に重畳的に一次転写され、カラートナー像が形成される。中間転写ベルト６は駆動ローラ７、従動ローラ８、およびテンションローラ９によって張架されて回転する。中間転写ベルト６上のトナー像は二次転写ローラ10によってシートに二次転写される。シートは給送カセット13からピックアップローラ14によって給送され、レジストローラ対15によって中間転写ベルト６とタイミングを合わせて二次転写部へ搬送される。カラートナー像を転写されたシートは定着器11によって熱と圧力を印加されて定着され、機外に排出される。
【００２６】
トナーカートリッジ31は、４色の新品現像剤がそれぞれの容器に充填され、計４つのトナーカートリッジ31ａ〜31ｄが本体に装着される。図１（ｂ）に示すように、トナーカートリッジ31の内部には、後述するように撹拌部材37が配置され（図３（ｃ）参照）、これが回転する事によりトナーカートリッジ31の現像剤排出開口30から現像剤が排出され、バッファ部42に現像剤が蓄積される。バッファ部42の下部には現像剤計量スクリュー43と搬送スクリュー44が配置され、バッファ部42の現像剤をプロセスカートリッジへと送り込める構成である。現像剤計量スクリュー43により搬送される現像剤の量は、スクリューピッチとパイプとの空間で同量ずつ分断されるため、スクリューの回転量により現像剤の排出量を調整する事ができる。ビデオカウント値から、規定のテーブルにより現像剤計量スクリュー43の回転量が決定され、適正量のトナーが現像剤計量スクリュー43から排出される。記録中は常時回転している搬送スクリュー44がトナーを現像器３へ投入する。また、現像剤計量スクリュー43の回転量に応じて、トナーカートリッジ31の撹拌部材37が回転し、トナーカートリッジ31からバッファ部42へトナーが補充され、バッファ部42内のトナー量は一定に保たれる。
【００２７】
バッファ部42には不図示のトナーセンサが配置されており、トナーカートリッジ31のトナーがなくなり、トナーがバッファ部42に排出されず、バッファ部42のトナーがなくなると、制御部へ信号を送り、何色の現像剤供給容器が空になったかをユーザーに報知する。ユーザーは、本体からの情報により、本体のカートリッジカバー23をＹ方向に開き、空になったトナーカートリッジ31を本体からＺ方向に取り出し、新品のトナーカートリッジ31を本体に装着する。その後カートリッジカバー23を閉じると、制御部からの信号により、トナーカートリッジ31の撹拌部材に駆動が伝達され、再度バッファ内がトナーで満たされ、記録可能な状態に戻る。
【００２８】
また、感光体ドラム１ａ〜１ｄはそれぞれプロセスカートリッジとして、装置本体に対して着脱可能な構成となっている。プロセスカートリッジには、少なくとも一次帯電ローラ、現像器のうちいずれか一つを有していれば良い。なお、本実施形態では、感光体ドラム１、帯電装置２、現像器３がプロセスカートリッジ内に配置されている。また装置上面には開閉可能な上蓋16が設けられており、感光体ドラム１および現像器３などが一体となったプロセスカートリッジ、中間転写ベルト６の交換を行うよう構成している。
【００２９】
ここで、前述したように画像形成装置本体100はユーザー先での設置スペース低減の要求に伴い、コンパクトに設計することが求められており、上述した各部材をコンパクトに設計し、且つ効率よく配置しなくてはならない。特に本実施例に示すようなフルカラーの画像形成装置においては、トナーカートリッジ31や後述するそれを装着するための現像剤供給容器装着部17や、駆動伝達機構等を４つ配置することとなることから、より効率的な設計が重要となる。
【００３０】
また、本実施例に示した画像形成装置本体100においては、単に画像形成装置本体100を設置した際の設置スペースのみならず、トナーカートリッジ31の交換のために必要とするスペース（例えば、本体のカバーを開くためのスペースや、トナーカートリッジ31を装着するためのスペース）にも省スペース化を考慮した設計となっており、図２（ｂ）に示すように、トナーカートリッジ31を画像形成装置本体100の上方から挿入していく方式を採用している。
【００３１】
（現像剤供給容器）
次に本実施例に係るトナーカートリッジ31について、図を用いて説明する。図３はトナーカートリッジの正面を含む斜視図および断面図、図４はトナーカートリッジの背面図、図５はハンドルの回動を説明する図、図６は駆動伝達機構を説明する図、図７は装置本体側のトナー補給装置枠体を説明する図、図８は現像剤供給容器の装着動作を説明する図、、図９はハンドルのロック解除機構を説明する図、図１０はハンドルの回動と係合部の関係を説明する図、図１１はシャッタの動作を説明する図、図１２はハンドルの回動量とシャッタの動作を説明する図である。
【００３２】
トナーカートリッジ31は装置本体100に装着され、そのまま据え置いて現像剤を使い切るまで徐々に被供給部へ現像剤を補給する、いわゆる据え置き型のものである。なお、トナーカートリッジ31は画像形成装置本体100に装着される際は、本図に示される姿勢にて装着されるものである（図２（ｂ）参照）。
【００３３】
トナーカートリッジ31は、図３（ａ）に示すように、現像剤収納部の例としてのトナー容器31ａと、操作部材の例としてのハンドル36、シャッタレール34に沿って擦動する容器シャッタ32を備えている。トナー容器31ａは、フタ部31ｂを超音波溶着などの従来公知の手段にて接合して形成されている。図３（ｂ）に示すように、トナー容器31ａの下部には現像剤を供給するための現像剤排出開口30が設けられ、その周囲にはトナー漏れを防止するためのシール48が配置されている。従って容器シャッタ32が現像剤排出開口30を覆うと、現像剤排出開口30周辺と容器シャッタ32との隙間はシール48により封止される。
【００３４】
トナー容器31ａの内部には、図３（ｃ）に示すように、撹拌部材37が設けられている。撹拌部材37の撹拌翼37ｃは攪拌軸37ａに取り付けられて回転することにより、トナー容器31ａ内のトナーを現像剤排出開口30から送り出す役割を有している。攪拌軸37ａはトナーカートリッジ31の挿入方向に対して直交する方向に配置されており、その一方の端部はカートリッジ外に突出して撹拌ギア49を備えている。撹拌ギア49は、図６（ｂ）に示すように、トナーカートリッジ31を装置本体に装着した際に、装置本体側に設けられた撹拌駆動機構20と噛合して駆動を伝達される。撹拌駆動機構20はギア列からなる駆動伝達機構であって、撹拌ギア49は回転軸に直交する方向、すなわち歯幅方向に直交する方向から近接して噛合する。
【００３５】
容器シャッタ32には、図４（ａ）に示すように、容器シャッタ係止部の例としてのシャッタロック46が設けられており、トナーカートリッジ31が装置本体に装着していない状態においては、トナー容器31ａに設けられたシャッタロック受け部28に係合している。これにより、ユーザーが誤って容器シャッタ32を開放方向（矢印Ｘ方向）にスライドさせても、容器シャッタ32が開いてトナーがこぼれることはない。なお、シャッタロック46は、トナーカートリッジ31を画像形成装置本体100に装着した際にシャッタロック解除突起55ｆ（図７（ａ）参照）と干渉することで、図４（ｂ）に示すように上方に退避してシャッタロック受け部28との係合を解除し、容器シャッタ32が移動することが可能となる。
【００３６】
ハンドル36は、図３（ａ）および図４（ａ）に示すように、トナー容器31ａの両側面において軸支され、開放方向（矢印Ｖ方向）および閉鎖方向（矢印Ｗ方向）に回動可能である。ただし、図５（ｂ）に示すように、ハンドル36の把手部36ａがトナー容器31ａ上部の容器把手35に当接するため、回動角が制限される。また図３（ａ）に示すように、装置本体に装着しない状態においては、ロック手段の例としてのハンドルロック38がトナー容器のハンドルロック受け部33の上側受け部33ｂと下側受け部33ｃに保持されることにより、ハンドル36が規定の角度に固定されている。この固定された位置がハンドル36の初期位置であり、図５（ａ）に示すように、この初期位置からハンドルがＶ、Ｗ両方向に回動できるように設定されている。
【００３７】
またハンドル36には、図４（ａ）に示すように、ギアからなる開閉駆動伝達部40が形成されている。開閉駆動伝達部40は、図６（ａ）に示すように、トナーカートリッジ31を装置本体に装着した際に、装置本体側に設けられた開閉駆動中継部19と噛合して駆動を伝達される。開閉駆動中継部19はギア列からなる駆動伝達機構であって、アイドラギア19ａに対し開閉駆動伝達部40が回転軸に直交する方向、すなわち歯幅方向に直交する方向から近接して噛合する。アイドラギア19ａは共通の回転軸19ｄを有し異なる歯数の複数のギアの例としての段ギア小19ｂ、段ギア大19ｃを介して、容器シャッタ32に設けられた開閉駆動伝達受け部32ａに接続され、ハンドル36の移動を容器シャッタ32の開閉運動へと伝達する。
【００３８】
さらにハンドル36には、図３（ａ）および図４に示すように、容器側係合部の例としてのハンドルレール39が設けられている。ハンドルレール39はハンドル36の回動軸を中心として円弧をなす段差状の部位であって、装置本体側に設けられた本体側係止部の例としての突起53ａ、54ａと係合し、トナーカートリッジ31を装置本体に対して固定保持する。突起53ａ、54ａは、図７（ａ）および図８（ａ）に示すように、トナー補給装置枠体55と一体に形成された基材部53ｂ、54ｂの先端に設けられており、上面（トナーカートリッジ31の挿入方向上流側）に傾斜面を有し、下面（挿入方向下流側）は挿入方向と略直交する面を備えている。
【００３９】
容器シャッタ32の外周面には、図３（ｂ）に示すように係合ボス45が突出して設けられている。一方、図７（ａ）に示すように、装置本体に設けられた本体シャッタ52には、トナーカートリッジ31を装着した際に係合ボス45と係合する係合穴52ｂが設けられている。そして図１１に示すように、容器シャッタ32と本体シャッタ52とが連携して開閉動作を行い、装置本体のトナー補給装置枠体55に設けられた現像剤受入開口57と、本体シャッタ52に設けられたトナー補給口52ａと、トナー容器31ａに設けられた現像剤排出開口30とを連通させることにより、トナーの供給が行われる。なお現像剤受入開口57の周囲には本体開口シール56が設けられており、現像剤受入開口57と本体シャッタ52の隙間からトナーが漏れることを防止している。
【００４０】
《現像剤供給容器装着時の動作》
トナーカートリッジ31の装着時の動作について、図８に基づいて説明する。まずユーザーは画像形成装置本体100のカートリッジカバー23をＹ方向に開く（図２（ｂ）参照）。そして図８（ａ）に示すように、トナー容器上部の容器把手35をつかんで、本体上部から矢印Ｒ方向にトナーカートリッジ31を装置本体のトナー補給装置枠体55へと挿入開始する。このときハンドル36は、ハンドルロック38がトナー容器のハンドルロック上側受け部33ｂと下側受け部33ｃに挟まれ、によって初期位置に固定されている。
【００４１】
図８（ｂ）に示すように、トナーカートリッジ31を更に挿入し、突起53ａ、54ａ上面の傾斜面とハンドル36のハンドルレール39が接触すると、突起の基材部53ｂ、54ｂが弾性変形する。これにより突起53ａ、54ａが退避する方向（矢印Ｈ、Ｉ方向）に移動するため、トナーカートリッジ31をスムースに挿入することができる。
【００４２】
さらに図８（ｃ）に示すように、完全にトナーカートリッジ31を挿入すると、突起53ａ、54ａが基材部53ｂ、54ｂの復元力によりハンドルレール39の上の空間に入り込む。このように、トナーカートリッジ31は挿入するのみの動作によって固定保持され、取り出し方向への移動が規制される。このとき、図６（ａ）に示すように、ハンドル36の開閉駆動伝達部40と開閉駆動中継ギア列19のアイドラギア19ａ、および容器シャッタ32の開閉駆動伝達受け部32ａと段ギア大19ｃとが噛み合う。さらに、図１１（ａ）に示すように、容器シャッタ32の係合ボス45（図３（ｂ）参照）が本体シャッタ52の係合穴52ｂと係合する。これにより、ハンドル36を回動させれば、容器シャッタ32と本体シャッタ52とを連携して一体的に開閉動作させることが可能な状態となる。ここで、開閉駆動伝達部40と開閉駆動中継部19（図６（ａ）参照）、撹拌ギア49と撹拌駆動機構20（図６（ｂ）参照）のギアの軸間距離が離れることを規制することができるため、駆動伝達が確実かつ円滑に行われる。
【００４３】
装着したのみの状態においては、図１０（ａ）に示すように、ハンドル36は初期位置にあり、ハンドルレール39と突起54ａは図に示すようにＯの位置で係合する位置関係にある。トナーカートリッジ31がトナー補給装置に挿入完了直前までハンドルロック38が解除されないため、常にこの位置関係になる。一方、図７（ｂ）に示すように、装置本体側のトナー補給装置枠体55には、ハンドルロック38のロックを解除するためのハンドルロック解除リブ55ｈが設けられている。ハンドルロック解除リブ55ｈは、図３（ｂ）に示すように、トナーカートリッジ31を挿入中にハンドルロック38に当接し、その先端をトナー容器31ａに向かって（矢印Ａ１方向）たわませる。これによりハンドルロック38がハンドルロック受け部33からずれて係合が解除され、ハンドル36は回動可能な状態となる。
【００４４】
この時のハンドルロック38の動きを図９により説明する。図９（ａ）、（ｂ）はハンドルロック38およびハンドルロック受け部33を下方から見た図、図９（ｃ）はハンドルロック38近傍をハンドル36側から見た模式図である。図９（ａ）はハンドル36がロックされた状態を示している。図９（ｂ）に示すように、トナーカートリッジ31の挿入によりハンドルロック解除リブ55ｈがハンドルロック38に当接すると、ハンドルロック38の先端は矢印Ａ１方向に変形して退避し、ハンドルロック38は受け部33ｂ、33ｃとトナー容器31ａの隙間33ａに入り込むことが可能となる。すなわち図９（ｃ）に示すように、ハンドル解放時には位置38-0にあったハンドルロック38は、トナー容器31ａに寄った位置38-1の位置に移動し、ハンドル36の回転が可能となる。
【００４５】
また、この挿入動作により、容器シャッタ32のシャッタロック46が図７（ａ）に示すシャッタロック解除突起55ｆにより上方向（Ｓ方向：図４（ｂ）参照）に持ち上げられ、容器シャッタ32が開閉可能な状態となる。なお、シャッタロック46を押し上げる方向はシャッタの回転中心に向かう方向と平行に近く、またシール48を圧接することによる回転抵抗が発生するため、シャッタロック46の解除によって容器シャッタが不用意に回転してしまうことはない。更に、図１１（ａ）に示すように、容器シャッタ32に設けられたロック解除リブ47（図４参照）が本体シャッタのロック55ａを押し下げて解除し、本体シャッタ52も開閉可能な状態となる。
【００４６】
次に、図１０（ｂ）に示すように把手部36ａを矢印Ｖ方向に倒すと、開閉駆動伝達部40から開閉駆動中継部19を介して駆動力が伝達され、図１１（ｂ）に示すように容器シャッタ32および本体シャッタ52が回動を開始する。ハンドルレール39は円弧状であり、突起53ａ、54ａはハンドル回動中心線上に配置されているため、回転させても突起53ａ、54ａはＰの位置でハンドルレール39を保持しつづける（図１０（ｂ）参照）。突起53ａ、54ａの下端は湾曲させて形成することにより、ハンドルレール39に対する接触面を小さくし、開店時の抵抗を少なくすることができる。なお、操作性向上のため、突起53ａ、54ａの下端に小さなコロを設け、更に回転抵抗を減らしても良い。また、ハンドルを回転させ、ハンドルロック38が受け部33ｂ、33ｃ以外の位置に来ると、位置38-2に示すように弾性により退避のための変形から復元する。
【００４７】
図１０（ｃ）に示すように、把手部36ａを矢印Ｖ方向にいっぱいに倒すと、図１１（ｃ）に示すように容器シャッタ32および本体シャッタ52が完全に開いた状態となり、トナーの供給が可能となる。このとき本体シャッタ52は、トナー補給装置枠体55に設けられた突当部55ｇに当接して移動を規制され、ハンドル36も回動の限界となる。このときも突起53ａ、54ａはハンドルレール39をＱの位置で保持し続ける。この後、カートリッジカバー23を閉じると画像形成装置本体100は記録可能状態に復帰する。このように、トナーカートリッジ31を装置本体に装着した後、ハンドル36を回すだけの簡便な操作により容器シャッタ32および本体シャッタ52を開放し、記録可能な状態とすることができる。
【００４８】
《現像剤供給容器取出し時の動作》
トナー容器31ａ内のトナーがなくなり、現像剤排出開口30からバッファ部へトナーが排出されなくなると、バッファ部のトナーセンサがトナーなしを検知し、カートリッジ交換メッセージを表示する。ユーザーは、カートリッジカバー23を開け、トナーカートリッジ31の交換を行う。
【００４９】
まずユーザーは、交換するトナーカートリッジ31の容器シャッタ32および本体シャッタ52を閉じるために、把手部36ａをＷ方向に回転させる。そしてハンドル36を、図１０（ａ）に示した初期位置を超えてさらに回転させることにより、突起54ａはハンドルレール39の途切れ部39ａであるＲの位置に至る。これにより突起53ａ、54ａのハンドルレール39に対する係合は解除されるため、トナーカートリッジ31を取り出すことが可能となる。すなわち、トナーが空になった場合、ハンドル36を回転させるだけの簡便な操作でシャッタを閉じ、トナーカートリッジ31を取り出し可能な状態とすることができる。
【００５０】
ここで、ハンドル36の回動量を図１２を用いて説明する。最上部のラインは、トナーカートリッジ31が取り出し可能か不可能かを示し、２段目のラインがシャッタＯＰＥＮ時のハンドル回動量を示す。Ｏ→Ｐ→Ｑは図１０のハンドル36と突起54ａの位置関係に対応するものである。シャッタＯＰＥＮ時は、Ｂだけハンドルが回動した事になる。
【００５１】
シャッタＣＬＯＳＥ時は、３段目のラインで示され、前述のようにハンドル36の動かし始めは、ギアのバックラッシ分駆動が伝達されないため、容器シャッタ32及び本体シャッタ52は動かず、ハンドル36のみが動き、この区間はＣで示される。更にハンドル36をＢだけ回動するが、この間はハンドルレール39に突起54ａが係合しており、トナーカートリッジ31が取出せない。Ｂ以上ハンドルを回動させたＤ区間の中で、ハンドルレール39の途切れ部39ａ（位置Ｒ）が突起54ａの真下に来るため、トナーカートリッジ31取り出し可能になる。
【００５２】
シャッタ閉じ方向のハンドル回動量（Ｑ→Ｒ）は、シャッタ開方向のハンドル回動量（Ｏ→Ｑ）に比べて多くなるが、ハンドルレールのＯ−Ｒ部の長さをバックラッシ損失分以上に設定することで、容器シャッタ32および本体シャッタ52を元の位置まで戻してから初めてトナーカートリッジ31を取出せるという状態が実現できる。
【００５３】
また図９（ｃ）に示すように、ハンドルロック受け部33の上側受け部33ｂの上面には斜面が形成されており、ハンドル閉鎖時にはハンドルロック38は斜面に沿って自然に変形し、隙間33ａに入り込むことができる。なお、隙間33ａは下側受け部33ｃとトナー容器31ａとの間にも設けられているため、ハンドル36は初期位置よりも更に回動可能となっている。
【００５４】
ハンドルは前述の途切れ部39ａに突起53ａ、54ａが至った後、少し進んだ所で図５（ｂ）に示すように容器把手35の天面と把手部36ａの下面が突き当たり、ハンドルが止まる。このとき、本体シャッタロック55ａが弾性により位置を復帰し、本体シャッタ52をロックする。以上のような構成で、ユーザーがトナーカートリッジ31を取出すときにシャッタが閉じた状態であることを担保することができる。このように、シャッタが完全に閉じるまでトナーカートリッジ31を取り出すことができないよう構成することにより、容器からのトナー飛散を防止することができ、また着脱を繰り返すことによるシャッタのずれの蓄積を防止することができる。
【００５５】
また、トナーカートリッジ31を取り出す際に、トナーカートリッジ31側においても、シャッタロック46がシャッタロック解除突起55ｆからの押圧を受けなくなるため、弾性により位置を復帰してシャッタロック受け部28と係合する。これにより、容器シャッタ32が不用意に開いてしまうことを防止することができ、内部のトナーが飛散する心配なく、本体外での扱いが容易である。
【００５６】
また、ハンドルの回動中心より下の領域に容器側復帰手段の例としての当接部41が設けられている（図４参照）。これに対し装置本体側には、図７（ａ）に示すように本体側復帰手段の例としての復帰当接部55ｃが設けられており、トナーカートリッジ31を取り出す際に当接部41が当接する。これによりハンドル36が回動し、ハンドル36の位相が初期位置へと復帰する。このときハンドルロック38が弾性により位置を復元して上側受け部33ｂと下側受け部33ｃの間に入り込み（位置38-0）、ハンドルロック38が固定される。従って、再度同じトナーカートリッジ31を挿入することがあっても、常に同じ状態でハンドル操作ができる。また、トナーカートリッジ31が本体外にある状態では常にハンドル36がロックされるため、より操作性の向上を図ることができる。
【００５７】
《本実施例の特徴的な構成》
次に、本実施例に係る特徴的な構成および動作について説明する。図１３はギア戻し手段を説明する図、図１４はギア戻し手段の動作を説明する図、図１５はギア側当接部と容器側当接部の動作を説明する図である。
【００５８】
図６（ａ）および図１３に示すように、開閉駆動中継部19の段ギア小19ｂ、段ギア大19ｃを軸支する回転軸19ｄには、対向する２つの平坦部19ｅが設けられている。そして装置本体には、上記の平坦部19ｅと同様な平坦面を有して平坦部19ｅに付勢される板バネからなる保持部材60が備えられている。保持部材60の平坦面は平坦部19ｅの幅よりも狭く設定されており、平坦部19ｅを挟み込むように配置されている。これら平坦部19ｅ、保持部材60により、ギア戻し手段が構成されている。
【００５９】
図１４は各状態における回転軸19ｄの位相と保持部材60の状態を示す図であって、図１４（ａ）は開閉駆動中継部19が初期位置にあるときの位相を示す図、図１４（ｂ）はカートリッジ取り出す際の位相を示す図、図１４（ｃ）はシャッタ部材を開いた状態における位相を示す図である。
【００６０】
図１４（ａ）はすなわちトナーカートリッジ31を装着していない状態であって、保持部材60の弾性力によって平坦部19ｅが保持部材60の平坦面に倣うことにより、開閉駆動中継部19の全てのギアの位相を初期位置に規定することができる。なお、この状態においては開閉駆動中継部19のギア列の両端に何も接続されていないため、軽いトルクで回転させることができる。
【００６１】
また図１４（ｂ）に示すように、トナーカートリッジ31を取り外した状態においてはハンドル36を初期位置よりも取り外し側に回動させているため、開閉駆動中継部19（回転軸19ｄ）も初期位置よりも回転している。しかし、この状態はギア戻し手段（平坦部19ｅ、保持部材60）による修正可能範囲内であり、トナーカートリッジ31を取り外すことにより開閉駆動中継部19はフリー回転可能となるため、図１４（ａ）に示す位相へと復帰する。
【００６２】
一方、図１４（ｃ）に示すように、容器シャッタ32および本体シャッタ52を開いた際には、回転軸19ｄは大きく回転し、修正可能範囲外（平坦部19ｅ以外の円周部が保持部材60に当接する位置）となるよう設定している。これにより、開いたシャッタ部材をいずれかの方向に移動させるような回転負荷をかけることがない。
【００６３】
さらに、万が一ユーザーによって開閉駆動中継部19が回転されて、トナーカートリッジ31を装着する間に、図１３（ｂ）や図１４（ｃ）に示すように修正可能範囲外の位相となっている場合も考慮する必要がある。
【００６４】
そこで本実施例においては、開閉駆動中継部19のアイドラギア19ａにリブ形状のギア側当接部19ｆを設け、トナーカートリッジ31のトナー容器31ａには突起形状の容器側当接部29を設けている。ギア側当接部19ｆはアイドラギア19ａの回転軸に対して少なくとも偏心する位置に設けられており、トナーカートリッジ31を挿入する際に容器側当接部29がその側面に当接し、アイドラギア19ａ（ひいては開閉駆動中継部19全体）を回転させるよう構成されている。なお、ギア側当接部19ｆおよび容器側当接部29による回転は、開閉駆動中継部19を修正範囲内まで回転させれば、上記ギア戻し手段によって正確な位相に保持されるため、回転後の角度を厳密に制御する必要はない。
【００６５】
ハンドル36側においても、確実に初期位置にあることを担保する必要がある。装置外においてハンドル36はハンドルロック38がハンドルロック受け部33によって保持されることにより初期位置を規定されているのであるが、装置本体に挿入した際にハンドルロック38が解除されてから、開閉駆動伝達部40とアイドラギア19ａが噛み合うまでのハンドルの位相のずれを確実に防止すべきである。
【００６６】
そこで本実施例においては、図４（ａ）に示すようにハンドル36の側面に被ガイド部50を設け、図７（ａ）に示すように装置本体側のトナー補給装置枠体55の側面にガイド部51を設けている。ガイド部51は、ハンドル36がハンドルロック38により保持されている状態（初期位置）において被ガイド部50のガイドを開始する位置にあり、挿入方向の両側に壁面を有してハンドル36の回動を防止する。ハンドルロック38が解除される際には本体の解除リブによってハンドルロック38を押圧することからハンドル36に回転力が生じるが、本構成によりハンドル36の回転を確実に防止することができる。またガイド部51の下端は、トナーカートリッジ31が完全に装着された状態において被ガイド部50をガイドしない（当接しない）位置までと設定し、ハンドル36の回動を阻害しないよう構成されている。
【００６７】
これらのことにより、トナーカートリッジ31を挿入する際に、開閉駆動中継部19を常に初期位置に規定することができ、またハンドル36も常に初期位置に規定することができる。従って、ハンドル36の開閉駆動伝達部40と、開閉駆動中継部19のアイドラギア19ａとを常に同じ位相（同じ歯先）で噛み合わせることができる。また、容器シャッタ32はシャッタロック46によって初期位置に保持されているため、容器シャッタ32の開閉駆動伝達受け部32ａと段ギア大19ｃとを常に同じ位相で噛み合わせることができる。さらに、本体シャッタ52は初期位置に保持されている容器シャッタ32の係合ボス45と係合穴52ｂによって係合するため、初期位置に位置決めされる。
【００６８】
従って、ハンドル36と容器シャッタ32および本体シャッタ52との位置関係を常に一定とすることができ、ハンドル36の回転可能な範囲内で、シャッタ部材を規定の角度だけ回動させることができる。すなわち、ハンドル36の回動制限により本体シャッタ52が十分に閉じきれず、本体シャッタ52が開いたままトナーカートリッジ31を取り出してしまうことがない。またハンドル36を規定量回動させる前に本体シャッタ52が突き当たって回動できなくなり、トナーカートリッジ31を取り出せなくなるなどの不具合を防止することができる。また、トナーカートリッジ31の着脱を繰り返しても常に初期位置を保つことから、本体シャッタ52のずれの蓄積を防止することができる。
【産業上の利用可能性】
【００６９】
本発明は現像剤を使用して画像を形成する電子写真画像形成装置に粉体現像剤を供給するための現像剤供給容器、及びこれを用いる画像形成装置に利用することができる。
【図面の簡単な説明】
【００７０】
【図１】画像形成装置本体の概略説明図である。
【図２】画像形成装置本体の外観斜視図である。
【図３】トナーカートリッジの正面を含む斜視図および断面図である。
【図４】トナーカートリッジの背面図である。
【図５】ハンドルの回動を説明する図である。
【図６】駆動伝達機構を説明する図である。
【図７】装置本体側のトナー補給装置枠体を説明する図である。
【図８】現像剤供給容器の装着動作を説明する図である。
【図９】ハンドルのロック解除機構を説明する図である。
【図１０】ハンドルの回動と係合部の関係を説明する図である。
【図１１】シャッタの動作を説明する図である。
【図１２】ハンドルの回動量とシャッタの動作を説明する図である。
【図１３】ギア戻し手段を説明する図である。
【図１４】ギア戻し手段の動作を説明する図である。
【図１５】ギア側当接部と容器側当接部の動作を説明する図である。
【図１６】従来の画像形成装置を説明する図である。
【図１７】従来の現像剤供給容器を説明する図である。
【図１８】従来の現像剤供給容器を装着した状態を説明する断面図である。
【図１９】段ギアの歯の位相を説明する図である。
【符号の説明】
【００７１】
１    …感光体ドラム
２    …帯電装置
３    …現像器
４    …露光装置
５    …一次転写ローラ
６    …中間転写ベルト
７    …駆動ローラ
８    …従動ローラ
９    …テンションローラ
10    …二次転写ローラ
11    …定着器
13    …給送カセット
14    …ピックアップローラ
15    …レジストローラ対
16    …上蓋
17    …現像剤供給容器装着部
19    …開閉駆動中継部
19ａ  …アイドラギア
19ｂ  …段ギア小
19ｃ  …段ギア大
19ｄ  …回転軸
19ｅ  …平坦部
19ｆ  …ギア側当接部
20    …撹拌駆動機構
21    …外装カバー
23    …カートリッジカバー
24    …表示操作部
28    …シャッタロック受け部
29    …容器側当接部
30    …現像剤排出開口
31    …トナーカートリッジ
31ａ  …トナー容器
31ｂ  …フタ部
32    …容器シャッタ
32ａ  …開閉駆動伝達受け部
33    …ハンドルロック受け部
33ａ  …隙間
33ｂ  …上側受け部
33ｃ  …下側受け部
34    …シャッタレール
35    …容器把手
36    …ハンドル
36ａ  …把手部
37    …撹拌部材
37ａ  …攪拌軸
37ｃ  …撹拌翼
38    …ハンドルロック
39    …ハンドルレール
40    …開閉駆動伝達部
42    …バッファ部
43    …現像剤計量スクリュー
44    …搬送スクリュー
45    …係合ボス
46    …シャッタロック
48    …シール
49    …撹拌ギア
50    …被ガイド部
51    …ガイド部
52    …本体シャッタ
52ａ  …トナー補給口
52ｂ  …係合穴
53ａ  …突起
53ｂ  …基材部
54ａ  …突起
55    …トナー補給装置枠体
55ｆ  …シャッタロック解除突起
55ｈ  …ハンドルロック解除リブ
56    …本体開口シール
57    …現像剤受入開口
60    …保持部材
100   …画像形成装置本体
500   …装置本体
501   …開閉部
502   …開閉駆動中継部
503   …バッファ部
504   …現像剤受入開口
505   …本体シャッタ
505ａ …ギア
505ｂ …ギア
506   …ギア
506ａ …ギア
506ｂ …ギア
600   …トナーカートリッジ
601   …現像剤排出開口
602   …容器シャッタ
602ａ …部
603   …ノブ
603ａ …開閉駆動伝達部
【図１】
2006139070.tif 000003
【図２】
2006139070.tif 000004
【図３】
2006139070.tif 000005
【図４】
2006139070.tif 000006
【図５】
2006139070.tif 000007
【図６】
2006139070.tif 000008
【図７】
2006139070.tif 000009
【図８】
2006139070.tif 000010
【図９】
2006139070.tif 000011
【図１０】
2006139070.tif 000012
【図１１】
2006139070.tif 000013
【図１２】
2006139070.tif 000014
【図１３】
2006139070.tif 000015
【図１４】
2006139070.tif 000016
【図１５】
2006139070.tif 000017
【図１６】
2006139070.tif 000018
【図１７】
2006139070.tif 000019
【図１８】
2006139070.tif 000020
【図１９】
2006139070.tif 000021